(57)【特許請求の範囲】
【請求項１】
上下にパネルを屈曲自在に連結してシャッタカーテンが構成され、前記パネルの幅端部にローラシャフトを介してガイドローラが設けられ、該ガイドローラがガイドレールに転動自在に嵌合し、前記シャッタカーテンが前記ガイドレールに沿って昇降するオーバヘッドドアであって、前記シャッタカーテンの上端に位置するパネルには、前記ガイドローラがローラ取付け部を介して設けられ、該ローラ取付け部は前記ローラシャフトが挿通されるシャフト支持部を有し、該シャフト支持部は複数の支持位置で前記ローラシャフトを支持し、支持位置の１つは前記パネルの幅端よりガイドレール側に突出した位置となっていることを特徴とするオーバヘッドドア。
【請求項２】
前記ローラ取付け部は上下方向に位置が調整可能であり、前記ガイドローラのパネルに対する上下位置が調整可能である請求項１のオーバヘッドドア。
【請求項３】
前記ローラ取付け部はパネルに対して上下位置が調整可能に取付けられるシャフト支持金具と、該シャフト支持金具に取付けられるシャフト支持部を有し、該シャフト支持部が軸受金具と補強金具とを具備し、該補強金具は前記ローラ取付け部に取付けられ、前記補強金具は前記パネルの幅端よりガイドレール側に突出した位置で、前記ローラシャフトを支持する様構成した請求項１のオーバヘッドドア。
【発明の詳細な説明】
【技術分野】
【０００１】
本発明は、建屋、構築物の開口部を開閉するオーバヘッドドア、特に防火機能を有するオーバヘッドドアに関するものである。
【背景技術】
【０００２】
オーバヘッドドアの機能として、建屋、構築物の開口部を遮蔽し、防火区画を形成し、火災時に煙の拡散と延焼を防止する機能が求められるものがある。
【０００３】
オーバヘッドドアは、複数のパネルを屈曲自在に連結してシャッタカーテンが構成され、各パネルの幅端部にはローラシャフトを介してガイドローラが回転自在に設けられ、該ガイドローラがガイドレールに転動自在に嵌合することによって、シャッタカーテンがガイドレールに沿って昇降し、開口部を開閉するものである。
【０００４】
図６は、シャッタカーテン１、ガイドレール２、ガイドローラ３との関係を示している。尚、図６（Ａ）、（Ｂ）中、４は、パネルを示す。尚、以下の説明に於いて、幅方向は、図６に於いて左右方向、又は水平方向を示す。
【０００５】
前記シャッタカーテン１は前記ガイドレール２にガイドされて昇降するので、前記シャッタカーテン１の幅端部と前記ガイドレール２との間にはギャップＧが設けられる。ギャップＧは少ない方が好ましいが、開口部の建付けの誤差、オーバヘッドドアの設置時の取付け誤差等により、前記ガイドレール２が傾いて取付けられることもある。
【０００６】
この場合、前記シャッタカーテン１と前記ガイドレール２とが傾いてしまい、ギャップＧが少ないと、図６（Ｂ）に示される様に前記シャッタカーテン１と前記ガイドレール２とが干渉してしまう。
【０００７】
この為、図７（Ａ）、（Ｂ）に示される様に、前記シャッタカーテン１と前記ガイドレール２間のギャップＧは開口部の建付けの誤差、オーバヘッドドアの取付け誤差等を考慮したものとなり、前記ガイドローラ３を支持するローラシャフト５は、前記シャッタカーテン１の幅端から突出した状態で前記ガイドローラ３を支持する状態となる。
【０００８】
上記した様に、オーバヘッドドアでは防火機能が求められるものがあり、火災時には前記シャッタカーテン１の表面、或は裏面のいずれかが高温となり、或は火炎に曝される。この為、前記シャッタカーテン１は、加熱された面が膨張し、湾曲しようとする。
【０００９】
前記シャッタカーテン１の中途部のパネル４は上下に他のパネル４と連結されているので、パネル４同士で拘束し合い、パネル４の湾曲が抑制される。
【００１０】
ところが、上端のパネル４は、上側に他のパネルが連結されていない為、一面が加熱されると熱膨張により湾曲してしまう。
【００１１】
パネル４の湾曲は、パネル４の両端部でパネル面に対して垂直方向の変位として現れ、変位は前記ガイドローラ３を介して前記ガイドレール２に拘束されるので、前記ガイドローラ３には前記ガイドレール２からの反力で軸心に対して直角方向の外力が作用する。この為、前記ローラシャフト５には曲げモーメントが作用する。曲げモーメントは前記ローラシャフト５のシャッタカーテン１からの突出長さに比例するので、パネル４の湾曲が大きい場合は、大きな曲げモーメントとなり、前記ローラシャフト５が曲り、前記シャッタカーテン１から抜脱する虞れがある。
【００１２】
前記ローラシャフト５がシャッタカーテン１から抜脱すると、上端のパネル４の端部を支持するものがなくなり、上端のパネル４が倒れてしまい、大きな開口となってしまう。或は倒れていない場合でも、パネル４の変形で建屋の躯体と上端のパネル４との間に隙間が生じる。躯体とパネル４間に開口、隙間が生じると、開口、隙間から火炎が貫通し、或は煙が拡散してしまう。
【先行技術文献】
【特許文献】
【００１３】
【特許文献１】特開２００４−２５７０３０号公報
【発明の概要】
【発明が解決しようとする課題】
【００１４】
本発明は斯かる実情に鑑み、上端のパネルの一面が加熱され、パネルが湾曲する場合でも、ローラシャフトの曲りを防止し、ローラシャフトの抜脱を防止し、パネルが躯体から離反して隙間を形成することがない様にするものである。
【課題を解決するための手段】
【００１５】
本発明は、上下にパネルを屈曲自在に連結してシャッタカーテンが構成され、前記パネルの幅端部にローラシャフトを介してガイドローラが設けられ、該ガイドローラがガイドレールに転動自在に嵌合し、前記シャッタカーテンが前記ガイドレールに沿って昇降するオーバヘッドドアであって、前記シャッタカーテンの上端に位置するパネルには、前記ガイドローラがローラ取付け部を介して設けられ、該ローラ取付け部は前記ローラシャフトが挿通されるシャフト支持部を有し、該シャフト支持部は複数の支持位置で前記ローラシャフトを支持し、支持位置の１つは前記パネルの幅端よりガイドレール側に突出した位置となっているオーバヘッドドアに係るものである。
【００１６】
又本発明は、前記ローラ取付け部は上下方向に位置が調整可能であり、前記ガイドローラのパネルに対する上下位置が調整可能であるオーバヘッドドアに係るものである。
【００１７】
又本発明は、前記ローラ取付け部はパネルに対して上下位置が調整可能に取付けられるシャフト支持金具と、該シャフト支持金具に取付けられるシャフト支持部を有し、該シャフト支持部が軸受金具と補強金具とを具備し、該補強金具は前記ローラ取付け部に取付けられ、前記補強金具は前記パネルの幅端よりガイドレール側に突出した位置で、前記ローラシャフトを支持する様構成したオーバヘッドドアに係るものである。
【発明の効果】
【００１８】
本発明によれば、上下にパネルを屈曲自在に連結してシャッタカーテンが構成され、前記パネルの幅端部にローラシャフトを介してガイドローラが設けられ、該ガイドローラがガイドレールに転動自在に嵌合し、前記シャッタカーテンが前記ガイドレールに沿って昇降するオーバヘッドドアであって、前記シャッタカーテンの上端に位置するパネルには、前記ガイドローラがローラ取付け部を介して設けられ、該ローラ取付け部は前記ローラシャフトが挿通されるシャフト支持部を有し、該シャフト支持部は複数の支持位置で前記ローラシャフトを支持し、支持位置の１つは前記パネルの幅端よりガイドレール側に突出した位置となっているので、パネルが湾曲する等して前記ローラシャフトに外力が作用しても、モーメント半径が小さくなるので、曲げモーメントを低く抑えられ、ローラシャフトの変形が防止され、前記ローラシャフトの抜脱がなく、躯体とパネル間の隙間発生を抑止できる。
【００１９】
又本発明によれば、前記ローラ取付け部は上下方向に位置が調整可能であり、前記ガイドローラのパネルに対する上下位置が調整可能であるので、オーバヘッドドア設置時に上端部のパネルの取付けで隙間の発生が防止される。
【００２０】
又本発明によれば、前記ローラ取付け部はパネルに対して上下位置が調整可能に取付けられるシャフト支持金具と、該シャフト支持金具に取付けられるシャフト支持部を有し、該シャフト支持部が軸受金具と補強金具とを具備し、該補強金具は前記ローラ取付け部に取付けられ、前記補強金具は前記パネルの幅端よりガイドレール側に突出した位置で、前記ローラシャフトを支持する様構成したので、補強金具を後付けでき、防火仕様のオーバヘッドドアと防火仕様でないオーバヘッドドアとを共通化でき、部品コストの低減、部品管理が容易になる等の優れた効果を発揮する。
【図面の簡単な説明】
【００２１】
【図１】本発明に係る実施例の要部を示す、シャッタカーテンの上端部の部分正面図である。
【図２】同前部分側面図である。
【図３】図１のＡ矢視図である。
【図４】本発明に係る実施例の要部の分解斜視図である。
【図５】本発明に係る実施例の要部の斜視図である。
【図６】（Ａ）（Ｂ）は、シャッタカーテンとガイドレールと隙間の関係を示す説明図である。
【図７】（Ａ）（Ｂ）は、シャッタカーテンとガイドレールと隙間の関係を示す説明図である。
【発明を実施するための形態】
【００２２】
以下、図面を参照しつつ本発明の実施例を説明する。
【００２３】
図１、図２は、シャッタカーテン１の上端部の左端部を示している。尚、右端部についても同様であるので、右端部については説明を省略する。
【００２４】
シャッタカーテン１は、複数のパネル４が上下に、屈曲自在に連結されて構成されており、前記シャッタカーテン１の上端には上端パネル４ａが連結されている。尚、本実施例では、パネル４は押出し材、或は引抜き材が用いられているが、平板を屈曲加工して成形したものであってもよい。
【００２５】
各パネル４の連結部にはローラシャフト５が水平幅方向から嵌入されている。尚、パネル４，４間の連結部には所定間隔で外れ止片６が取付けられ、該外れ止片６により上下パネルの連結状態が保持されている。
【００２６】
前記シャッタカーテン１をガイドするガイドレール２は、湾曲部２ａを経て天井面と平行に延在し、開放時にはシャッタカーテン１を開口部上側の天井部に格納する様になっている。又、開口部の高さ寸法は、建屋毎に異なっており、上端パネル４ａに設けられるガイドローラ３ａは前記湾曲部２ａに掛る場合があり、又該湾曲部２ａの位置によって上端パネル４ａが傾き、上端パネル４ａの上端が躯体から離反する場合がある。躯体から離反して隙間が生じた場合は、防火機能が低下するので、上端パネル４ａが垂直になる様、該上端パネル４ａのガイドローラ３ａの取付けは、前記上端パネル４ａに対して上下位置が調整できる様になっている。尚、前記ガイドローラ３ａの適正な取付位置が分っている場合は、上下位置の調整はできなくともよい。
【００２７】
図３〜図５を参照して、前記ガイドローラ３ａの取付け構造について説明する。尚、図３に於いて上側を表面、下側を裏面とし、又、図４、図５に於いて、図中左側を表面、右側を裏面とする。又、図３中、３１は開口部３２に隣接する躯体、３３はガイドレール２を支持するガイドレール支持部材、３４は雨水の浸入を防止するシール部材を示している。
【００２８】
前記ガイドローラ３ａは、ローラシャフト５ａに回転自在に設けられ、該ローラシャフト５ａはローラ取付け部７を介して前記上端パネル４ａの上幅端部に水平方向から嵌入され設けられている（図４参照）。
【００２９】
前記ローラ取付け部７は、シャフト支持金具８、補強金具９及び軸受金具１０を具備している。
【００３０】
前記シャフト支持金具８は上下に延びる縦長形状であり、左右両幅端部が直角に折上げられコ字状の平断面を有する。前記シャフト支持金具８の中央部には上下に延びるスリット孔１２が２列に穿設され、前記シャフト支持金具８の凸平面（両端部の折上げ方向とは反対側の平面）には、前記軸受金具１０が溶接等所要の手段で固着されている。
【００３１】
該軸受金具１０は平断面が前記シャフト支持金具８とは逆方向のコ字状であり、折り上げられた両端部を水平に貫通する軸受孔１３が穿設されている。
【００３２】
前記シャフト支持金具８は前記スリット孔１２に挿通された複数本のボルト、図示では各スリット孔１２に上下２本宛のボルト１４によって前記上端パネル４ａの裏面板１５に固着される。又、該裏面板１５には前記軸受金具１０と干渉しない様に切欠１６が穿設されている。該切欠１６の上下方向の寸法は、前記軸受金具１０の位置が上下に調整された場合に該軸受金具１０と干渉しない大きさとなっている。
【００３３】
前記補強金具９は前記シャフト支持金具８のパネル端側の立上がり部１７に固定される固定部１８、ガイドレール２側に突出しローラシャフト５ａが貫通するシャフト受部１９、上端パネル４ａの表面板２１と平行に延出し、該表面板２１の裏面に接触するか、僅かな隙間を形成して対峙する反力受部２０を有している。前記シャフト受部１９には前記ローラシャフト５ａが貫通する軸孔２２が穿設されている。尚、補強金具９の軸孔２２は孔ではなく、開閉方向どちらかに開口したＵ字切欠きとしてもよい。
【００３４】
前記補強金具９はボルト等の固着具により、前記立上がり部１７に固定され、前記補強金具９が前記立上がり部１７に固定された状態では、前記軸孔２２、前記軸受孔１３が同一軸心上に位置する様になっている。而して、前記補強金具９、前記軸受金具１０はシャフト支持部を構成する。
【００３５】
シャフト支持金具８と補強金具９との結合箇所（シャフト支持金具８の立上がり部１７と補強金具９の固定部１８の部分）がローラシャフト５ａよりもパネル厚さ方向の裏面向き（図３に於いて下方向側）に離れて、より好ましくは上端パネル４ａ裏面に対峙して見た視点にてガイドレール２よりも手前側に迄ローラシャフト５ａから離れて配置されている。
【００３６】
前記ローラシャフト５ａを前記軸孔２２、前記軸受孔１３に挿通することで、前記ローラシャフト５ａは前記軸孔２２、前記軸受孔１３を介して前記軸受金具１０、前記シャフト受部１９に支持され、又ガイドローラ３ａは前記ローラシャフト５ａを介して前記ローラ取付け部７に支持されて、前記上端パネル４ａに取付けられる。又、前記ボルト１４を緩めた状態で、前記シャフト支持金具８が上下に位置調整でき、前記ガイドローラ３ａが前記湾曲部２ａの最適な位置で前記シャフト支持金具８を上端パネル４ａに固定する。
【００３７】
以下、本実施例の作用について説明する。
【００３８】
前記シャッタカーテン１が前記開口部３２を閉塞した状態（図３参照）で、シャッタカーテン１の表側（図３中上側）が火炎に曝される等で加熱され、前記上端パネル４ａの表面板２１が膨張した場合、前記上端パネル４ａは図中上側が凸になる様に湾曲する。該上端パネル４ａの湾曲により、上端パネル４ａの端部（図示では左端部）が躯体３１から離反する様に変位する。
【００３９】
前記ガイドローラ３ａは前記ガイドレール２、前記ガイドレール支持部材３３を介して躯体３１に拘束されているので、前記ガイドローラ３ａに表側（図中上方）への外力が作用し、前記ローラシャフト５ａには図中時計方向のモーメント荷重と、水平方向（図中上下方向）の剪断力が作用する。
【００４０】
前記シャフト受部１９により、前記ローラシャフト５ａは前記ガイドローラ３ａの近傍で支持されており、モーメント半径が極めて小さく、前記ローラシャフト５ａのモーメント荷重は小さく抑えられ、曲げ変形が抑制される。換言すれば、曲げ変形が生じない様に、或は曲げ変形が生じてもガイドローラ３ａの機能が損われない程度の曲げ変形で抑えられる様に、前記シャフト受部１９の支持位置が決定される。
【００４１】
従って、前記ローラシャフト５ａには主に剪断力が作用する様になるが、該ローラシャフト５ａは剪断力に対しては充分な強度を有しており、前記上端パネル４ａの湾曲によって前記ローラシャフト５ａが曲り、或は破断することはない。従って、前記ガイドローラ３ａの抜脱が防止され、前記上端パネル４ａが前記躯体３１から離反して隙間が生じることはない。
【００４２】
又、前記シャッタカーテン１の裏面（裏面板１５）側から加熱され、前記上端パネル４ａが図３中下側に凸となる様に湾曲すると、前記補強金具９のシャフト受部１９部分にモーメントが作用し、該シャフト受部１９が反時計方向に変位しようとするが、前記反力受部２０が前記表面板２１の裏面に当接し、前記シャフト受部１９の変位を拘束する。従って、前記上端パネル４ａの端部の変位が前記シャフト受部１９、前記ガイドレール２、前記ガイドレール支持部材３３を介して前記躯体３１に拘束される。従って、前記反力受部２０と前記表面板２１間に形成される間隙は、前記ガイドローラ３ａに水平方向の外力が作用した場合に、前記反力受部２０と前記表面板２１とが接触する様になっていればよい。
【００４３】
本実施例では、前記シャフト支持金具８、前記軸受金具１０で構成されるローラ取付け部７に補強金具９を追加することで、或は後付けすることで簡単に前記上端パネル４ａの加熱による湾曲を防止することができる。又、補強金具９の追加でローラシャフト５ａの曲げ防止ができ、ローラシャフト５ａの上端パネル４ａ（シャッタカーテン１）からの抜出し防止につながる。
【００４４】
尚、軸受金具１０を図３中、左方に延出し、前記軸受金具１０の左端を前記シャフト受部１９の位置とすれば、前記補強金具９を省略することができる。
【００４５】
又、軸受金具１０の左端をシャフト受部１９の位置にして補強金具９を省略したとき、軸受金具１０の端部を更に左端から上端パネル４ａ方向に折曲げ延出させて、補強金具９の反力受部２０の様にしてもよい。
【００４６】
又、上端パネル４ａ以外のパネル４のガイドローラ取付け構造についても上端パネル４ａと同様の構造を用いてもよい。
【００４７】
又、オーバヘッドドアについては、ガイドレールが湾曲部２ａの様に湾曲する部分のないガイドレールになっているオーバヘッドドアにも適用でき、更にシャッタカーテンを巻取軸に巻取って収納する方式のものにも適用できる。
【００４８】
更に上記本実施例では、軸受金具１０、ローラシャフト５のシャフト受部１９を上端パネル４ａの厚さ内に収める形態について説明したが、ガイドレールとシャッタカーテンの位置関係によっては、上端パネル４ａの厚さ外に出して上端パネル４ａの裏面に露出させる様に設けることも可能である。
【００４９】
又、本発明は、建屋の開口部の他、収納家具、門、車載コンテナ等の開口部を開閉するオーバヘッドドアにも適用可能であることは言う迄もない。
【符号の説明】
【００５０】
１              シャッタカーテン
２              ガイドレール
３              ガイドローラ
４              パネル
５              ローラシャフト
７              ローラ取付け部
８              シャフト支持金具
９              補強金具
１０            軸受金具
１５            裏面板
２０            反力受部
２１            表面板
【図１】
0005436274.tif 000002
【図２】
0005436274.tif 000003
【図３】
0005436274.tif 000004
【図４】
0005436274.tif 000005
【図５】
0005436274.tif 000006
【図６】
0005436274.tif 000007
【図７】
0005436274.tif 000008